(57)【要約】      （修正有）【課題】簡易な構造で使用者が簡単に内部の装飾品をカスタムすることが可能な装飾用置物を提供する。【解決手段】装飾用置物は、前面板１０と、フレーム板２０と、背面板３０と、台座板４０と、接続部材６１ａとを有し、接続部材を水平方向に突出する突出部として用いて前面板と背面板とでフレーム板を挟持することにより、フレーム板の開口で形成された空間の内部に装飾品５０ａ、５０ｂを配置する。前面板とフレーム板と背面板をこの順に重ねた状態で、前面板の孔１１ａと空間の一部と背面板の孔３１ａとで形成された領域に接続部材が配置されることで、前面板と背面板とでフレーム板が挟持され、前面板とフレーム板と背面板とが台座部の挿入部４１により保持される。【選択図】図３
0003227551.tif 000002
【実用新案登録請求の範囲】
【請求項１】
前面板と、
背面板と、
前記前面板と前記背面板との間に挟持され、開口が形成されたフレーム板と、
前記前面板と前記フレーム板と前記背面板とを重ねた状態で立設するための台座板と、
前記フレーム板を挟持した状態で前記前面板と前記背面板とを接続するための接続部材を有し、
少なくとも、前記前面板又は前記背面板のいずれか一方は、透明性を有する素材を有し、
前記接続部材を水平方向に突出する突出部として用いて前記前面板と前記背面板とで前記フレーム板を挟持することにより、前記フレーム板の前記開口で形成された空間の内部に装飾品を配置することが可能であり、
前記台座部には、前記前面板と前記背面板とで前記フレーム板を挟持した状態で挿入される挿入部が形成されており、
前記前面板には、孔が形成されており、
前記背面板には、孔が形成されており、
前記前面板と前記フレーム板と前記背面板をこの順に重ねた状態で、前記前面板の孔と前記空間の一部と前記背面板の孔とで形成された領域に前記接続部材が配置されることで、前記前面板と前記背面板とで前記フレーム板が挟持され、前記前面板と前記フレーム板と前記背面板とが前記台座部の前記挿入部により保持されることを特徴とする装飾用置物。
【請求項２】
前面板と、
背面板と、
前記前面板と前記背面板との間に挟持され、開口が形成されたフレーム板と、
前記前面板と前記フレーム板と前記背面板とを重ねた状態で立設するための台座板と、
前記フレーム板を挟持した状態で前記前面板と前記背面板とを接続するための第１の接続部材及び第２の接続部材と、を有し、
前記前面板、前記背面板、前記フレーム板、前記台座板、前記第１の接続部材、および前記第２の接続部材は、アクリル材からなり、
前記第１の接続部材及び前記第２の接続部材のそれぞれを水平方向に突出する突出部として用いて前記前面板と前記背面板とで前記フレーム板を挟持することにより、前記フレーム板の前記開口で形成された空間の内部に装飾品を配置することが可能であり、
前記台座部には、前記前面板と前記背面板とで前記フレーム板を挟持した状態で挿入される挿入部が形成されており、
前記前面板には、上辺中央部の近傍に第１の孔部、及び下辺中央部の近傍に第２の孔部が形成されており、
前記フレーム板には、前記開口の上辺に第１の凹部、及び前記開口の下辺に第２の凹部が形成されており、
前記背面板には、上辺中央部の近傍に第３の孔部、及び下辺中央部の近傍に第４の孔部が形成されており、
前記前面板と前記フレーム板と前記背面板をこの順に重ねた状態で、前記第１の孔部と前記第１の凹部と前記第３の孔部とで形成された第１の領域に前記第１の接続部材が配置され、前記第２の孔部と前記第２の凹部と前記第４の孔部とで形成された第２の領域に前記第２の接続部材が配置されることで、前記前面板と前記背面板とで前記フレーム板が挟持され、前記前面板と前記フレーム板と前記背面板とが前記台座部の前記挿入部により保持されることを特徴とする装飾用置物。
【考案の詳細な説明】
【技術分野】
【０００１】
本考案は、内部の装飾品を簡単にカスタムできる装飾用置物に関する。
【背景技術】
【０００２】
従来から、装飾品を収納する置物が知られている。特許文献１には、内部に小物や貴金属等立体形状の装飾品を収納しアクセサリーや展示保管ケースとして使用する小物収納容器が開示されている。特許文献１に開示された小物収納容器は、薄肉の背板とその周縁に略垂直に設けられた内壁体、内壁体の下端に設けられた周縁枠板、周縁枠板の外周縁から内壁体と平行して起立する外壁体とから成るケース本体部と、内壁体に緩やかに外嵌する嵌合枠体とその上端から外方に延設された鍔部とから成るカバー部と、伸縮性を有する透明フィルムとで構成され、内壁体と嵌合枠体とで透明フィルムの周縁近傍を挟持するようにしてケース本体部にカバー部を組み付け、ケース本体部内部に収納空間を形成する。
【先行技術文献】
【特許文献】
【０００３】
【特許文献１】実用新案登録第３１３２４６９号公報
【考案の概要】
【考案が解決しようとする課題】
【０００４】
しかしながら、特許文献１に開示された小物収納容器は、その構造が複雑であり、使用者が簡単にカスタムすることができない。
【０００５】
そこで本考案の目的は、簡易な構造で使用者が簡単に内部の装飾品をカスタムすることが可能な装飾用置物を提供することである。
【課題を解決するための手段】
【０００６】
本考案の装飾用置物は、前面板と、背面板と、前記前面板と前記背面板との間に挟持され、開口が形成されたフレーム板と、前記前面板と前記フレーム板と前記背面板とを重ねた状態で立設するための台座板と、前記フレーム板を挟持した状態で前記前面板と前記背面板とを接続するための接続部材を有し、少なくとも、前記前面板又は前記背面板のいずれか一方は、透明性を有する素材を有し、前記接続部材を水平方向に突出する突出部として用いて前記前面板と前記背面板とで前記フレーム板を挟持することにより、前記フレーム板の前記開口で形成された空間の内部に装飾品を配置することが可能であり、前記台座部には、前記前面板と前記背面板とで前記フレーム板を挟持した状態で挿入される挿入部が形成されており、前記前面板には、孔が形成されており、前記背面板には、孔が形成されており、前記前面板と前記フレーム板と前記背面板をこの順に重ねた状態で、前記前面板の孔と空間の一部と前記背面板の孔とで形成された領域に前記接続部材が配置されることで、前記前面板と前記背面板とで前記フレーム板が挟持され、前記前面板と前記フレーム板と前記背面板とが前記台座部の前記挿入部により保持される。
【０００７】
本考案の他の目的や特徴は、以下の実施形態において説明される。
【考案の効果】
【０００８】
本考案によれば、簡易な構造で使用者が簡単に内部の装飾品をカスタムすることが可能な装飾用置物を提供することができる。
【図面の簡単な説明】
【０００９】
【図１】本実施形態に係る装飾用置物を前面側から見た場合の斜視図である。
【図２】本実施形態に係る装飾用置物を背面側から見た場合の斜視図である。
【図３】本実施形態に係る装飾用置物を前面側から見た場合の分解斜視図である。
【図４】本実施形態に係る装飾用置物を背面側から見た場合の分解斜視図である。
【考案を実施するための形態】
【００１０】
以下、本考案の実施形態に関し、図面を参照して説明する。
【００１１】
まず、図１及び図２を用いて、本実施形態の装飾用置物１の全体の概略構成について説明する。図１は、装飾用置物１を前面側から見た場合の斜視図である。図２は、装飾用置物１を背面側から見た場合の斜視図である。
【００１２】
装飾用置物１は、任意の平面である場所に載置（立設）することができ、前面板１０、フレーム板（中間板）２０、背面板３０、台座板４０、及び２つの接続部材６１ａ、６１ｂを備えて構成される。フレーム板２０には、開口２５が形成されており（すなわち中抜き構成であり）、開口２５の内部に装飾品５０ａ、５０ｂを入れることができる。開口２５に装飾品５０ａ、５０ｂを入れた状態で、前面板１０と背面板３０とを用いてフレーム板２０を挟持し、前面板１０とフレーム板２０と背面板３０のそれぞれの下辺中央部に形成された凸部１４、２４、３４を水平方向に重ねた状態で台座板４０の中央部に形成された挿入部（貫通孔又は凹部）４１に挿入可能である。これにより、フレーム板２０の開口２５は、前面板１０と背面板３０とで覆われた空間７０が形成された状態で、装飾用置物１を立設することができる。このため、装飾用置物１の内部に形成された空間７０に好みの装飾品５０ａ、５０ｂを入れて自分の部屋等に飾ることが可能である。
【００１３】
本実施形態において、前面板１０、フレーム板（中間板）２０、及び背面板３０は、約３ｍｍの厚さのアクリル材からなる。このため、空間７０に入れた装飾品５０ａ、５０ｂを、装飾用置物１の外側から見ることができる。装飾品５０ａ、５０ｂは、空間７０の厚さ（本実施形態では約３ｍｍ）以下であれば良く、アクリル材のほか、木材、布等の任意の素材からなる。また、装飾品の数は２個に限定されず、１個でも３個以上でも良い。また本実施形態において、フレーム板２０の上辺には装飾部２７が設けられている。同様に、背面板３０の上辺には装飾部３７が設けられている。装飾部２７、３７は、所望の形状で構成することができ、また、所望の色や模様、デザインを施しても良い。
【００１４】
次に、図３及び図４を参照して、装飾用置物１を構成する各部について説明する。図３は、装飾用置物１を前面側から見た場合の分解斜視図である。図４は、装飾用置物１を背面側から見た場合の分解斜視図である。前面板１０の上辺中央部の近傍には、孔部（凹部）１１ａが形成されている。孔部（凹部）１１ａは、貫通孔であっても、貫通していない凹部であっても良い。孔部１１ａには、フレーム板２０及び背面板３０と接続するための接続部材（接続パーツ）６１ａが挿入可能である。
【００１５】
ここで、接続部材６１ａの形状について説明する。接続部材６１ａは、３つの部位６１１、６１２、６１３からなる。部位６１１は、前面板１０の孔部１１ａに挿入される。また後述のように、部位６１２はフレーム板２０の凹部２１ａに挿入され、部位６１３は背面板３０の孔部３１ａに挿入される。なお、接続部材６１ｂも接続部材６１ａと同様の形状であり、部位６１１は前面板１０の孔部１１ｂ、部位６１２はフレーム板２０の凹部２１ｂ、部位６１３は背面板３０の孔部３１ｂにそれぞれ挿入される。
【００１６】
孔部１１ａに接続部材６１ａの部位６１１を挿入することにより、接続部材６１ａは前面板１０から水平方向（重なり方向）に突出する凸部（突起部）として機能する。同様に、前面板１０の下辺中央部の近傍には、孔部（凹部）１１ｂが形成されており、孔部１１ｂには、フレーム板２０及び背面板３０と接続するための接続部材（接続パーツ）６１ｂの部位６１１が挿入可能であり、接続部材６１ｂは前面板１０から水平方向（重なり方向）に突出する突出部（凸部）として機能する。前述のように、前面板１０の下辺中央部には、下方向に突出する凸部１４が設けられている。
【００１７】
フレーム板２０には、装飾品５０ａ、５０ｂを入れて飾るための空間７０を形成する開口２５が形成されている。開口２５の上辺中央部には、組み立て時に接続部材６１ａの部位６１２が挿入される凹部２１ａが設けられている。同様に、開口２５の下辺中央部には、組み立て時に接続部材６１ｂの部位６１２が挿入される凹部２１ｂが設けられている。前述のように、前面側から見た場合におけるフレーム板２０の上辺右側には、装飾部２７が設けられている。ただし、装飾部２７の形状や位置はこれに限定されるものではなく、他の形状であっても良く、他の位置に配置しても良い。装飾部２７には、所望の色やデザイン等を付すことができる。なお、装飾部２７は必要に応じて設ければ良く、本考案に必須の構成ではない。前述のように、フレーム板２０の下辺中央部には、下方向に突出する凸部２４が設けられている。
【００１８】
背面板３０の上辺中央部の近傍には、孔部（凹部）３１ａが形成されている。孔部（凹部）３１ａは、貫通孔であっても、貫通していない凹部であっても良い。組み立て時において、孔部３１ａには、前面板１０及びフレーム板２０と接続するための接続部材６１ａの部位６１３が挿入される。同様に、背面板３０の下辺中央部の近傍には、孔部（凹部）３１ｂが形成されており、孔部３１ｂには、組み立て時において、前面板１０及びフレーム板２０と接続するための接続部材６１ｂの部位６１３が挿入される。このため孔部３１ａ、３１ｂのそれぞれの形状や大きさは、接続部材６１ａ、６１ｂの形状や大きさに対応している。前述のように、前面側から見た場合における背面板３０の上辺左側には、装飾部３７が設けられている。ただし、装飾部３７の形状や位置はこれに限定されるものではなく、他の形状であっても良く、他の位置に配置しても良い。装飾部３７には、所望の色やデザイン等を付すことができる。なお、装飾部３７は必要に応じて設ければ良く、本考案に必須の構成ではない。前述のように、背面板３０の下辺中央部には、下方向に突出する凸部３４が設けられている。
【００１９】
前述のように、台座板４０には、挿入部（貫通孔又は凹部）４１が形成されている。挿入部４１は、貫通孔であっても、貫通していない凹部であっても良い。挿入部４１には、前面板１０とフレーム板２０と背面板３０とを重なり方向に重ねた状態で、凸部１４、２４、３４を挿入して保持可能に構成されている。このため挿入部４１の形状及び大きさは、凸部１４、２４、３４を重ねた形状及び大きさに対応している。
【００２０】
以上のように、本実施形態の装飾用置物１は、前面板１０と、背面板３０と、前面板１０と背面板３０との間に挟持され、開口２５が形成されたフレーム板２０と、前面板１０とフレーム板２０と背面板３０とを重ねた状態で立設するための台座板４０と、フレーム板２０を挟持した状態で前面板１０と背面板３０とを接続するための第１の接続部材（接続部材６１ａ）及び第２の接続部材（接続部材６１ｂ）とを有する。前面板１０、背面板３０、フレーム板２０、台座板４０、および２つの接続部材６１ａ、６１ｂは、アクリル材からなる。第１の接続部材及び第２の接続部材のそれぞれを水平方向（重なり方向）に突出する突出部として用いて前面板１０と背面板３０とでフレーム板２０を挟持することにより、フレーム板２０の開口２５で形成された空間７０の内部に装飾品５０ａ、５０ｂを配置することが可能である。台座部４０には、前面板１０と背面板３０とでフレーム板２０を挟持した状態で挿入される挿入部４１が形成されている。前面板１０には、上辺中央部の近傍に第１の孔部（孔部１１ａ）、及び下辺中央部の近傍に第２の孔部（孔部１１ｂ）が形成されている。フレーム板２０には、開口２５の上辺中央部に第１の凹部（凹部２１ａ）、及び開口２５の下辺中央部に第２の凹部（凹部２１ｂ）が形成されている。背面板３０には、上辺中央部の近傍に第３の孔部（孔部３１ａ）、及び下辺中央部の近傍に第４の孔部（孔部３１ｂ）が形成されている。前面板１０とフレーム板２０と背面板３０をこの順に重ねた状態で、第１の孔部と第１の凹部と第３の孔部とで形成された第１の領域に第１の接続部材が配置され、第２の孔部と第２の凹部と第４の孔部とで形成された第２の領域に第２の接続部材が配置されることで、前面板１０と背面板３０とでフレーム板２０が挟持され、前面板１０とフレーム板２０と背面板３０とが台座部４０の挿入部４１により保持される。
【００２１】
本実施形態によれば、簡易な構造で使用者が簡単に内部の装飾品をカスタムすることが可能な装飾用置物１を提供することができる。また、本実施形態の装飾用置物１は、２つの接続部材６１ａ、６１ｂを用いて水平方向（重なり方向）に突出する突出部（凸部）を形成し、前面板１０と背面板３０とでフレーム板２０を挟持するように構成されている。このため、フレーム板２０の装飾部２７と背面板３０の装飾部３７の形状や位置をそれぞれ自由に決定することができる。なお本実施形態において、前面板１０に装飾部を設けても良い。
【００２２】
以上、本考案の好ましい実施形態について説明したが、本考案はこれに限定されるものではなく、その要旨の範囲内において種々の変形や変更が可能である。
【００２３】
例えば、本実施形態において、前面板１０及び背面板３０はそれぞれ透明なアクリル材からなるが、前面板１０又は背面板３０は、いずれか一方が透明なアクリル材であれば良い。また、透明なアクリル材の代わりに、別のプラスチック素材又はガラス（石英）等の透過性を有する材料を用いても良い。さらに、前面板１０又は背面板３０の一部に、透過性を有する材料を用いてもよい。
【００２４】
本実施形態において、フレーム板２０、台座板４０、及び接続部材６１ａ、６１ｂはそれぞれ透明なアクリル材からなるが、フレーム板２０、台座部４０、又は接続部材６１ａ、６１ｂには、アクリル材のほか、木材等の任意の素材を用いることができる。
【００２５】
本実施形態において、装飾用置物１を構成する前面板１０、フレーム板２０、背面板３０、台座板４０、及び接続部材６１ａ、６１ｂはそれぞれ透明なアクリル材からなるが、空間７０に入れた装飾品５０ａ、５０ｂの少なくとも一部が外部から視認可能であれば、装飾用置物１の少なくとも一部に所望の色や模様等のデザインを付して透明でなくても良い。
【００２６】
本実施形態において、２つの突出部（凸部）は、前面板１０及び背面板３０のそれぞれに対して着脱可能な接続部材６１ａ、６１ｂであるが、これに限定されるものではない。例えば、前面板１０又は背面板３０に一体的に設けられた突出部であっても良い。また２つの接続部材（突出部）６１ａ、６１ｂの形状は、同一であっても異なっていても良い。
【００２７】
本実施形態において、２つの接続部材６１ａ、６１ｂを用いたが、接続部材は、接続部材６１ａの１つだけを用いても良い。これに伴い、第２の孔部（孔部１１ｂ）と第２の凹部（凹部２１ｂ）と第４の孔部（孔部３１ｂ）とで形成された第２の領域については不要としても良く、孔部１１ｂ、凹部２１ｂ、又は孔部３１ｂは無くても良い。すなわち、前面板１０の孔（孔部１１ａ）と空間７０の一部（凹部２１ａ）と背面板３０の孔（孔部３１ａ）とで形成された領域に接続部材（６１ａ）が配置されていれば良い。さらに、接続部材については、３つ以上、用いても良い。これに伴い、接続部材を配置するために前面板または背面板に設ける孔部は、それぞれ３つ以上あっても良く、フレーム板に設ける凹部は、３つ以上あっても良い。また、前面板の孔部と背面板の孔部に接続部材を配置してフレーム板を挟持することにより、フレーム板２０の第１の凹部（凹部２１ａ）、又は第２の凹部（凹部２１ｂ）は、無くても良い。第１の孔部（孔部１１ａ）と第１の凹部（凹部２１ａ）と第３の孔部（孔部３１ａ）とで形成された第１の領域と、第２の孔部（孔部１１ｂ）と第２の凹部（凹部２１ｂ）と第４の孔部（孔部３１ｂ）とで形成された第２の領域については、いずれも、前面板１０、フレーム板、又は背面板３０の上辺中央部の近傍や下辺中央部の近傍に限定されず、前面板１０、フレーム板、又は背面板３０の中央部など、任意の位置に設けることができる。
【００２８】
本実施形態において、前面板１０、フレーム板２０、及び背面板３０を用いたが、フレーム板２０は、前面板１０又は背面板３０のいずれか一方と一体でも良い。
【符号の説明】
【００２９】
１  装飾用置物
１０  前面板
１１ａ  孔部（第１の孔部）
１１ｂ  孔部（第２の孔部）
１４  凸部
２０  フレーム板
２１ａ  凹部（第１の凹部）
２１ｂ  凹部（第２の凹部）
２４  凸部
２５  開口
３０  背面板
３１ａ  孔部（第３の孔部）
３１ｂ  孔部（第４の孔部）
３４  凸部
４０  台座板
４１  挿入部
５０ａ、５０ｂ  装飾品
６１ａ  接続部材（第１の接続部材）
６１ｂ  接続部材（第２の接続部材）
７０  空間
【図１】
0003227551.tif 000003
【図２】
0003227551.tif 000004
【図３】
0003227551.tif 000005
【図４】
0003227551.tif 000006
【手続補正書】
【提出日】令和2年6月5日(2020.6.5)
【手続補正１】
【補正対象書類名】実用新案登録請求の範囲
【補正対象項目名】請求項１
【補正方法】変更
【補正の内容】
【請求項１】
前面板と、
背面板と、
前記前面板と前記背面板との間に挟持され、開口が形成されたフレーム板と、
前記前面板と前記フレーム板と前記背面板とを重ねた状態で立設するための台座板と、
前記フレーム板を挟持した状態で前記前面板と前記背面板とを接続するための接続部材
を有し、
少なくとも、前記前面板又は前記背面板のいずれか一方は、透明性を有する素材を有し、
前記接続部材を水平方向に突出する突出部として用いて前記前面板と前記背面板とで前記フレーム板を挟持することにより、前記フレーム板の前記開口で形成された空間の内部に装飾品を配置することが可能であり、
前記台座板には、前記前面板と前記背面板とで前記フレーム板を挟持した状態で挿入される挿入部が形成されており、
前記前面板には、孔が形成されており、
前記背面板には、孔が形成されており、
前記前面板と前記フレーム板と前記背面板をこの順に重ねた状態で、前記前面板の孔と前記空間の一部と前記背面板の孔とで形成された領域に前記接続部材が配置されることで、前記前面板と前記背面板とで前記フレーム板が挟持され、前記前面板と前記フレーム板と前記背面板とが前記台座板の前記挿入部により保持されることを特徴とする装飾用置物。
【手続補正２】
【補正対象書類名】実用新案登録請求の範囲
【補正対象項目名】請求項２
【補正方法】変更
【補正の内容】
【請求項２】
前面板と、
背面板と、
前記前面板と前記背面板との間に挟持され、開口が形成されたフレーム板と、
前記前面板と前記フレーム板と前記背面板とを重ねた状態で立設するための台座板と、
前記フレーム板を挟持した状態で前記前面板と前記背面板とを接続するための第１の接続部材及び第２の接続部材と、を有し、
前記前面板、前記背面板、前記フレーム板、前記台座板、前記第１の接続部材、および前記第２の接続部材は、アクリル材からなり、
前記第１の接続部材及び前記第２の接続部材のそれぞれを水平方向に突出する突出部として用いて前記前面板と前記背面板とで前記フレーム板を挟持することにより、前記フレーム板の前記開口で形成された空間の内部に装飾品を配置することが可能であり、
前記台座板には、前記前面板と前記背面板とで前記フレーム板を挟持した状態で挿入される挿入部が形成されており、
前記前面板には、上辺中央部の近傍に第１の孔部、及び下辺中央部の近傍に第２の孔部が形成されており、
前記フレーム板には、前記開口の上辺に第１の凹部、及び前記開口の下辺に第２の凹部が形成されており、
前記背面板には、上辺中央部の近傍に第３の孔部、及び下辺中央部の近傍に第４の孔部が形成されており、
前記前面板と前記フレーム板と前記背面板をこの順に重ねた状態で、前記第１の孔部と前記第１の凹部と前記第３の孔部とで形成された第１の領域に前記第１の接続部材が配置され、前記第２の孔部と前記第２の凹部と前記第４の孔部とで形成された第２の領域に前記第２の接続部材が配置されることで、前記前面板と前記背面板とで前記フレーム板が挟持され、前記前面板と前記フレーム板と前記背面板とが前記台座板の前記挿入部により保持されることを特徴とする装飾用置物。
【手続補正３】
【補正対象書類名】明細書
【補正対象項目名】０００６
【補正方法】変更
【補正の内容】
【０００６】
本考案の装飾用置物は、前面板と、背面板と、前記前面板と前記背面板との間に挟持され、開口が形成されたフレーム板と、前記前面板と前記フレーム板と前記背面板とを重ねた状態で立設するための台座板と、前記フレーム板を挟持した状態で前記前面板と前記背面板とを接続するための接続部材を有し、少なくとも、前記前面板又は前記背面板のいずれか一方は、透明性を有する素材を有し、前記接続部材を水平方向に突出する突出部として用いて前記前面板と前記背面板とで前記フレーム板を挟持することにより、前記フレーム板の前記開口で形成された空間の内部に装飾品を配置することが可能であり、前記台座板には、前記前面板と前記背面板とで前記フレーム板を挟持した状態で挿入される挿入部が形成されており、前記前面板には、孔が形成されており、前記背面板には、孔が形成されており、前記前面板と前記フレーム板と前記背面板をこの順に重ねた状態で、前記前面板の孔と空間の一部と前記背面板の孔とで形成された領域に前記接続部材が配置されることで、前記前面板と前記背面板とで前記フレーム板が挟持され、前記前面板と前記フレーム板と前記背面板とが前記台座板の前記挿入部により保持される。
【手続補正４】
【補正対象書類名】明細書
【補正対象項目名】００２０
【補正方法】変更
【補正の内容】
【００２０】
以上のように、本実施形態の装飾用置物１は、前面板１０と、背面板３０と、前面板１０と背面板３０との間に挟持され、開口２５が形成されたフレーム板２０と、前面板１０とフレーム板２０と背面板３０とを重ねた状態で立設するための台座板４０と、フレーム板２０を挟持した状態で前面板１０と背面板３０とを接続するための第１の接続部材（接続部材６１ａ）及び第２の接続部材（接続部材６１ｂ）とを有する。前面板１０、背面板３０、フレーム板２０、台座板４０、および２つの接続部材６１ａ、６１ｂは、アクリル材からなる。第１の接続部材及び第２の接続部材のそれぞれを水平方向（重なり方向）に突出する突出部として用いて前面板１０と背面板３０とでフレーム板２０を挟持することにより、フレーム板２０の開口２５で形成された空間７０の内部に装飾品５０ａ、５０ｂを配置することが可能である。台座板４０には、前面板１０と背面板３０とでフレーム板２０を挟持した状態で挿入される挿入部４１が形成されている。前面板１０には、上辺中央部の近傍に第１の孔部（孔部１１ａ）、及び下辺中央部の近傍に第２の孔部（孔部１１ｂ）が形成されている。フレーム板２０には、開口２５の上辺中央部に第１の凹部（凹部２１ａ）、及び開口２５の下辺中央部に第２の凹部（凹部２１ｂ）が形成されている。背面板３０には、上辺中央部の近傍に第３の孔部（孔部３１ａ）、及び下辺中央部の近傍に第４の孔部（孔部３１ｂ）が形成されている。前面板１０とフレーム板２０と背面板３０をこの順に重ねた状態で、第１の孔部と第１の凹部と第３の孔部とで形成された第１の領域に第１の接続部材が配置され、第２の孔部と第２の凹部と第４の孔部とで形成された第２の領域に第２の接続部材が配置されることで、前面板１０と背面板３０とでフレーム板２０が挟持され、前面板１０とフレーム板２０と背面板３０とが台座板４０の挿入部４１により保持される。
【手続補正５】
【補正対象書類名】明細書
【補正対象項目名】００２４
【補正方法】変更
【補正の内容】
【００２４】
本実施形態において、フレーム板２０、台座板４０、及び接続部材６１ａ、６１ｂはそれぞれ透明なアクリル材からなるが、フレーム板２０、台座板４０、又は接続部材６１ａ、６１ｂには、アクリル材のほか、木材等の任意の素材を用いることができる。